(57)【要約】  変電所部品の１以上の動作パラメータを取得する方法が提供される。本方法は、変電所部品の１以上の動作パラメータを含む機械可読コードを変電所部品に提供するステップであって、機械可読コードが、人間が判読不可能なフォーマットであり、１以上の動作パラメータが、変電所部品に対応する１以上のネットワーク接続パラメータであるか或いはそのようなネットワーク接続パラメータを含む、ステップと、１以上のネットワーク接続パラメータを機械可読コードから視覚的に読み取ることができる電子モジュールを提供するステップであって、変電所部品及び電子モジュールがそれぞれ通信ネットワークと通信する、ステップと、１以上のネットワーク接続パラメータを機械可読コードから視覚的に読み取って、それにより、１以上のネットワーク接続パラメータを機械可読コードから引き出すように電子モジュールを構成するステップと、変電所部品との直接的なネットワーク接続を形成するために、機械可読コードから引き出された１以上のネットワーク接続パラメータを使用するように電子モジュールを構成して、デジタル通信リンクを介して電子モジュールと変電所部品との間の通信を可能にするステップとを備える。【選択図】図１
2018504880.tif 000002
【特許請求の範囲】
【請求項１】
変電所部品の１以上の動作パラメータを取得する方法であって、
変電所部品の１以上の動作パラメータを含む機械可読コードを変電所部品に提供するステップであって、機械可読コードが、人間が判読不可能なフォーマットであり、１以上の動作パラメータが、変電所部品に対応する１以上のネットワーク接続パラメータであるか或いはそのようなネットワーク接続パラメータを含む、ステップと、
１以上のネットワーク接続パラメータを機械可読コードから視覚的に読み取ることができる電子モジュールを提供するステップであって、変電所部品及び電子モジュールがそれぞれ通信ネットワークと通信する、ステップと、
１以上のネットワーク接続パラメータを機械可読コードから視覚的に読み取って、それにより、１以上のネットワーク接続パラメータを機械可読コードから引き出すように電子モジュールを構成するステップと、
変電所部品との直接的なネットワーク接続を形成するために、機械可読コードから引き出された１以上のネットワーク接続パラメータを使用するように電子モジュールを構成して、デジタル通信リンクを介して電子モジュールと変電所部品との間の通信を可能にするステップと
を含む方法。
【請求項２】
変電所部品がインテリジェント電子機器である、請求項１に記載の方法。
【請求項３】
１以上の動作パラメータが、変電所部品に対応する１以上の識別パラメータであるか或いはそのような識別パラメータを含み、電子モジュールが、１以上の識別パラメータを機械可読コードから視覚的に読み取ることができ、当該方法が、
電子モジュールに１以上のターゲット識別パラメータを格納するステップと、
機械可読コードを視覚的に読み取って、それにより、機械可読コードから１以上の識別パラメータを引き出すように電子モジュールを構成するステップと、
１以上の識別パラメータを１以上のターゲット識別パラメータと比較するように電子モジュールを構成するステップと
を含んでおり、電子モジュールが、１以上の識別パラメータが１以上のターゲット識別パラメータと一致する場合に、変電所部品の確実な識別を確認するよう構成される、請求項１又は請求項２に記載の方法。
【請求項４】
１以上の識別パラメータと１以上のターゲット識別パラメータとのそれぞれが、変電所部品の名前、モデル、シリアル番号及び／又は動作機能であるか或いはそれらを含む、請求項３に記載の方法。
【請求項５】
１以上のネットワーク接続パラメータが、ネットワーク識別、インターネット・プロトコル・アドレス、サービスセット識別及び／又はネットワーク接続速度であるか或いはそれらを含む、請求項１乃至請求項４のいずれか１項に記載の方法。
【請求項６】
１以上の動作パラメータが、変電所部品の現在構成に対応する１以上の設定パラメータであるか或いはそのような設定パラメータを含み、電子モジュールが、機械可読コードから１以上の設定パラメータを視覚的に読み取ることができ、当該方法が、機械可読コードから１以上の設定パラメータを視覚的に読み取り、それにより、機械可読コードから１以上の設定パラメータを引き出すよう電子モジュールを構成するステップを含む、請求項１乃至請求項５のいずれか１項に記載の方法。
【請求項７】
１以上の設定パラメータが、制御設定パラメータである、請求項６に記載の方法。
【請求項８】
１以上の動作パラメータが、変電所部品に対応する１以上の検証パラメータであるか或いはそのような検証パラメータを含み、電子モジュールが、１以上の検証パラメータを機械可読コードから視覚的に読み取ることができ、当該方法が、
電子モジュールに１以上の所定の検証パラメータを格納するステップと、
機械可読コードを視覚的に読み取って、それにより、機械可読コードから１以上の検証パラメータを引き出すように電子モジュールを構成するステップと、
１以上の検証パラメータを１以上の所定の検証パラメータと比較するように電子モジュールを構成するステップと
を含んでおり、電子モジュールは、１以上の検証パラメータが１以上の所定の検証パラメータと異なる場合にエラーメッセージを提供するよう構成される、請求項１乃至請求項７のいずれか１項に記載の方法。
【請求項９】
１以上の検証パラメータと１以上の所定の検証パラメータとのそれぞれが、チェックサムもしくはバージョン識別子であるか或いはチェックサムもしくはバージョン識別子を含む、請求項８に記載の方法。
【請求項１０】
機械可読コードが、バーコードであるか或いはバーコードを含む、請求項１乃至請求項９のいずれか１項に記載の方法。
【請求項１１】
表示画面、好ましくは、マンマシンインターフェース画面上に機械可読コードを提供するステップを含む、請求項１乃至請求項１０のいずれか１項に記載の方法。
【請求項１２】
機械可読コードを視覚的に読み取るように電子モジュールを構成するステップの前に、変電所部品を動作させて表示画面上に機械可読コードを提供するステップを含む、請求項１１に記載の方法。
【請求項１３】
機械可読コードが動的機械可読コードであり、当該方法が、変電所部品を動作させて表示画面上に機械可読コードを提供するステップの前又は該ステップと同時に、変電所部品の１以上のリアルタイム動作パラメータを含むように動的機械可読コードを構成するよう変電所部品を動作させるステップを含む、請求項１２に記載の方法。
【請求項１４】
電子モジュールが、機械可読コードから１以上の動作パラメータを視覚的に読み取ることができる光インターフェースを備えたパーソナルコンピュータ、ラップトップ、スマートフォン又はタブレットである、請求項１乃至請求項１３のいずれか１項に記載の方法。
【発明の詳細な説明】
【技術分野】
【０００１】
本発明は、変電所部品の１以上の動作パラメータを取得する方法に関する。
【背景技術】
【０００２】
インテリジェント電子機器（ＩＥＤ）などの変電所部品は、電力システム、通常は、発電、送電、配電、産業又は輸送システムに設置される。変電所部品は、変電所に設置されており、その目的は、それらが接続されているシステムを測定、保護、制御及び監視することである。
【先行技術文献】
【特許文献】
【０００３】
【特許文献１】独国特許出願公開第１０２００９０２０４７２号明細書
【発明の概要】
【０００４】
本発明の一態様では、変電所部品の１以上の動作パラメータを取得する方法を提供するが、本方法は、
変電所部品の１以上の動作パラメータを含む機械可読コードを変電所部品に提供するステップであって、機械可読コードが、人間が判読不可能なフォーマットであるステップと、
機械可読コードから１以上の動作パラメータを視覚的に読み取ることができる電子モジュールを提供するステップと、
機械可読コードを視覚的に読み取って、それにより、機械可読コードから１以上の動作パラメータを引き出すように電子モジュールを構成するステップと
を服もな。
【０００５】
本発明の別の態様では、変電所部品の１以上の動作パラメータを取得する方法を提供するが、本方法は、
変電所部品の１以上の動作パラメータを含む機械可読コードを変電所部品に提供するステップであって、機械可読コードが、人間が判読不可能なフォーマットであり、１以上の動作パラメータが、変電所部品に対応する１以上のネットワーク接続パラメータであるか或いはそのようなネットワーク接続パラメータを含む、ステップと、
１以上のネットワーク接続パラメータを機械可読コードから視覚的に読み取ることができる電子モジュールを提供するステップであって、変電所部品及び電子モジュールがそれぞれ通信ネットワークと通信する、ステップと、
１以上のネットワーク接続パラメータを機械可読コードから視覚的に読み取って、それにより、１以上のネットワーク接続パラメータを機械可読コードから引き出すように電子モジュールを構成するステップと、
変電所部品との直接的なネットワーク接続を形成するために、機械可読コードから引き出された１以上のネットワーク接続パラメータを使用するように電子モジュールを構成して、デジタル通信リンクを介して電子モジュールと変電所部品との間の通信を可能にするステップと
を含む。
【０００６】
変電所部品は、インテリジェント電子機器とすることができるが、これに限定されないことが理解されよう。
【０００７】
本明細書の目的のために、変電所部品に対応する動作パラメータは、変電所部品の設備の性能、試運転（構成、設定及び試験など）、正常な動作及び／又は保守に関わるパラメータとして定義される。
【０００８】
機械可読コードから１以上の動作パラメータを引き出す電子モジュールの機能は、変電所部品から１以上の動作パラメータを手動で取り出す際の利用者の時間と労力を節約し、したがって、より時間効率的で信頼性の高い方法で、上述のタスクの性能を可能にする。これは、利用者が多数の変電所部品を取り扱う必要があり、それらの部品の全てが同一付近に、例えば、同じ変電所に配置される場合に特に有益である。
【０００９】
人間が判読不可能なフォーマットである機械可読コードを使用すると、より多くの情報を、機械可読コードに格納することが可能になり、これは、機械可読コードに格納される情報の全てを人間が判読可能にすることを保証する必要が無いからである。
【００１０】
本発明の方法で使用される電子モジュールの種類は、問題の電子モジュールが機械可読コードから１以上の動作パラメータを視覚的に読み取ることができる限り、変更することができる。例えば、電子モジュールは、機械可読コードから１以上の動作パラメータを視覚的に読み取ることができる光インターフェースを備えたパーソナルコンピュータ、ラップトップ、スマートフォン、又はタブレットとすることができる。
【００１１】
機械可読コードを視覚的に読み取るように電子モジュールを構成することは、例えば、写真を撮ること、又は機械可読コードのビデオを記録することを含むことができる。
【００１２】
本発明の実施形態では、１以上の動作パラメータは、変電所部品に対応する１以上の識別パラメータであってもよく、又はそのような識別パラメータを含んでいてもよい。電子モジュールは、機械可読コードから１以上の識別パラメータを視覚的に読み取ることを可能にすることができる。本方法は、
電子モジュールに１以上のターゲット識別パラメータを格納するステップと、
機械可読コードを視覚的に読み取って、それにより、機械可読コードから１以上の識別パラメータを引き出すように電子モジュールを構成するステップと、
１以上の識別パラメータを１以上のターゲット識別パラメータと比較するように電子モジュールを構成するステップと
を含むことができ、
電子モジュールが、１以上の識別パラメータが１以上のターゲット識別パラメータと一致する場合に、変電所部品の確実な識別を確認するよう構成される。
【００１３】
変電所部品を確実に識別する電子モジュールの機能は、機械可読コードを視覚的に読み取るように電子モジュールを構成することによって、ターゲット変電所部品を利用者が自動的に識別することを可能にする。
【００１４】
１以上の識別パラメータ及び１以上のターゲット識別パラメータのそれぞれは、これらに限定するものではないが、変電所部品の名前、モデル、シリアル番号及び／又は動作機能とすることができるか、又はそれらを含むことができる。
【００１５】
所与の変電所部品との直接的なネットワーク接続を自動的に形成する電子モジュールの機能により、利用者の作業生産性を向上し、利用者が、通信ネットワーク上の変電所部品のリストから関連する変電所部品を手動で選択し、変電所部品との直接的なネットワーク接続を手動で開始する時間を費やす必要が無くなる。
【００１６】
１以上のネットワーク接続パラメータは、これらに限定するものではないが、ネットワーク識別、インターネット・プロトコル・アドレス、サービスセット識別及び／又はネットワーク接続速度とすることができるか、又はそれらを含むことができる。
【００１７】
本発明のさらなる実施形態では、１以上の動作パラメータは、変電所部品の現在構成に対応する１以上の設定パラメータであってもよく、又はそのような設定パラメータを含んでいてもよい。電子モジュールは、機械可読コードから１以上の設定パラメータを視覚的に読み取ることを可能にすることができる。本方法は、機械可読コードから１以上の設定パラメータを視覚的に読み取り、機械可読コードから１以上の設定パラメータを引き出すように電子モジュールを構成するステップを含むことができる。
【００１８】
電子モジュールが１以上の設定パラメータを引き出す機能は、例えば、関連する制御ソフトウェアのナビゲーションにより、ユーザが１以上の設定パラメータを手動で取得するのではなく、変電所部品の現在構成に対応する情報を取得する時間効率的で信頼できる手段を提供する。
【００１９】
１以上の設定パラメータは、これに限定するものではないが、制御設定パラメータ、例えば、ソフトウェア制御設定パラメータとすることができる。
【００２０】
任意選択的に、１以上の動作パラメータは、変電所部品に対応する１以上の検証パラメータであってもよく、又はそのような検証パラメータを含んでいてもよい。電子モジュールは、機械可読コードから１以上の検証パラメータを視覚的に読み取ることを可能にすることができる。本方法は、
電子モジュールに１以上の所定の検証パラメータを格納するステップと、
機械可読コードを視覚的に読み取って、それにより、機械可読コードから１以上の検証パラメータを引き出すように電子モジュールを構成するステップと、
１以上の検証パラメータを確実な１以上の所定の検証パラメータと比較するように電子モジュールを構成するステップと
を含むことができ、電子モジュールは、１以上の検証パラメータが１以上の所定の検証パラメータと異なる場合にエラーメッセージを提供するよう構成される。
【００２１】
検証パラメータを比較し、検証パラメータの間の差異に応答してエラーメッセージを提供する電子モジュールの機能は、変電所部品の１以上の動作パラメータを検証する自動手段を提供する。これにより、利用者が、変電所部品の制御ソフトウェアを介してナビゲートして検証を実行するか、又は１以上の検証パラメータを手動で抽出し、別個のソフトウェアツールを動作させて、１以上の検証パラメータを１以上の所定の検証パラメータと比較する必要が無くなる。
【００２２】
１以上の検証パラメータ及び１以上の所定の検証パラメータのそれぞれは、ソフトウェアバージョン識別子もしくはハードウェアバージョン識別子などのチェックサムもしくはバージョン識別子とすることができ、又はそのようなチェックサムもしくはバージョン識別子を含むことができる。
【００２３】
機械可読コードは、バーコードとすることができるか、又はバーコードを含むことができるが、これに限定されない。バーコードの例には、限定するものではないが、リニアバーコード（すなわち、１次元バーコード）又はマトリクスバーコード（すなわち２次元バーコード）が含まれ、後者はクイックレスポンス（ＱＲ）コード（登録商標）とすることができる。
【００２４】
本方法は、表示画面、好ましくは、マンマシンインターフェース画面上に機械可読コードを提供するステップを含むことができる。
【００２５】
そのような方法は、機械可読コードを視覚的に読み取るように電子モジュールを構成するステップの前に、変電所部品を動作させて表示画面上に機械可読コードを提供するステップを含むことができる。
【００２６】
そのような実施形態では、機械可読コードは、動的機械可読コードとすることができる。本方法は、変電所部品を動作させて表示画面上に機械可読コードを提供するステップの前、又はそのようなステップと同時に、変電所部品の１以上のリアルタイム動作パラメータを含むように動的機械可読コードを構成するよう変電所部品を動作させるステップを含むことができる。
【００２７】
したがって、変電所部品の１以上のリアルタイム動作パラメータを手動で取得する必要は無い。これは、時間効率的に１以上のリアルタイム動作パラメータを引き出すことを可能にするだけでなく、リアルタイム情報を手動で引き出す間に発生する人的エラーの潜在的な悪影響も引き出すことを可能にし、したがって、変電所部品の１以上の動作パラメータについてのリアルタイム情報を自動的に取得する信頼できる手段を提供する。
【００２８】
さらに、表示画面上に提供される動的機械可読コードは、表示画面上に提供される動的機械可読コードが、変電所部品のアクティブ状態及び構成状態を反映するために、１以上のリアルタイム動作パラメータを含むように容易に更新することができるという点で、ハードウェアフォーマット（例えば、ラベル又はステッカー）で提供される静的機械可読コードよりも有利である。一方、静的機械可読コードは、変電所部品の任意のリアルタイム動作パラメータを含むように更新することができず、したがって、変電所部品のアクティブ状態及び構成状態を反映しない、構成されていないハードウェア情報などの、限定量の情報のみを含むことができる。
【００２９】
本発明の好ましい実施形態を、非限定的な例として、添付図面を参照して説明する。
【図面の簡単な説明】
【００３０】
【図１】本発明の一実施形態による方法のブロック図である。
【図２】図１の方法で使用するための例示的な機械可読コードを示す図である。
【発明を実施するための形態】
【００３１】
変電所は、典型的には、インテリジェント電子機器（ＩＥＤ）などの多数の変電所部品を含む。インテリジェント電子機器は、随時、変電所要員とある程度の対話を必要とする。そのような対話には、例えば、ＩＥＤに権限をあたえる（構成、設定、テストなど）、ＩＥＤの保守及びトラブルシューティングを行う、ＩＥＤの定期的なテストを行う、ＩＥＤから保護された回路障害データを取得する、又は所与のＩＥＤがその用途のために正しい構成を有していることを検証するための動作を含むことができる。
【００３２】
所与のＩＥＤとの対話の前に、変電所要員は、複数のＩＥＤ（数十、数百又はそれ以上の可能性がある）の中から所与のＩＥＤを見つけ、１以上の動作パラメータをＩＥＤから引き出し、それにより、１以上の動作パラメータが、所与のＩＥＤと相互作用することが要求される。これらの動作は、図１を参照してさらに詳細に以下で説明する。
【００３３】
図１は、ＩＥＤの１以上の動作パラメータを取得する方法を示す。
【００３４】
ＩＥＤでは、機械可読コードがＱＲコード（登録商標）の形式で提供される。より具体的には、ＩＥＤを操作して、マンマシンインターフェース（ＨＭＩ）表示画面上にＱＲコード（登録商標）を提供することができる。これは、例えば、ボタンを押すことによって、又はワークフロー処理における一連のステップの一部として、実行することができる。ＱＲコード（登録商標）は、識別パラメータ、ネットワーク接続パラメータ、ＩＥＤの現在構成に対応する設定パラメータ及び検証パラメータなどの、変電所部品の動作パラメータを含む。
【００３５】
この実施形態では、ＱＲコード（登録商標）は、動的機械可読コードであり、すなわち、ＩＥＤを操作して、ＨＭＩ表示画面にＱＲコード（登録商標）を提供する前、又はそれと同時に、ＩＥＤのリアルタイム動作パラメータをＱＲコード（登録商標）が含むように構成することができる。
【００３６】
変電所要員は、内蔵カメラを備えたスマートフォンの形態の電子モジュールを備える。内蔵カメラを備えることにより、スマートフォンはＱＲコード（登録商標）から動作パラメータを視覚的に読み取ることができる。その場合、変電所要員は、内蔵カメラでＱＲコードをいい示すことによってＱＲコード（登録商標）を視覚的に読み取るようにスマートフォンを設定できる。これにより、スマートフォンはＱＲコードから動作パラメータを引き出すことができる。
【００３７】
ＩＥＤとスマートフォンとの両方は、無線又は有線とすることができる通信ネットワークと通信するように構成される。例えば、通信ネットワークは、Ｗｉ−Ｆｉ通信ネットワークなどの無線ローカル・エリア・ネットワーク（ＷＬＡＮ）の形態とすることができる。
【００３８】
ＱＲコード（登録商標）から動作パラメータを引き出すことにより、変電所要員が変電所部品と対話するのを支援するために、スマートフォンは自動的に一連の機能を実行することができる。
【００３９】
ＱＲコード（登録商標）から識別パラメータを引き出すことにより、スマートフォンは、機械可読コードを視覚的に読み取るだけで、ターゲットＩＥＤの自動識別によってＩＥＤの確実な識別を行うことができる。これは、スマートフォンにインストールされたアプリケーションが読み取られた識別パラメータをターゲット識別パラメータと比較できるように、対応するターゲット識別パラメータをスマートフォンに格納することによって実行される。読み取られた識別パラメータがターゲット識別パラメータと一致する場合、スマートフォンは、ＩＥＤの確実な識別が確認されたことを変電所要員に通知する。
【００４０】
所与のＩＥＤを確実に特定するスマートフォンの機能は、変電所要員が最初にＩＥＤの近傍に入る場合に使用することができる。変電所職員がＩＥＤの物理的位置を知っている場合、スマートフォンをＩＥＤに向けることで、対応するＱＲコード（登録商標）を視覚的に読み取って、スマートフォンが確実な識別処理を実行して、正しいＩＥＤが選択されていることを確認することができる。変電所要員が複数のＩＥＤの中のＩＥＤの物理的位置を知らない場合、スマートフォンをどのＩＥＤに向けても、対応するＱＲコード（登録商標）を視覚的に読み取って、正しいＩＥＤが選択されるまで、確実な識別処理を実行することができる。
【００４１】
各識別パラメータは、これらに限定するものではないが、ＩＥＤ名、ＩＥＤモデル、ＩＥＤシリアル番号及び／又はＩＥＤの動作機能とすることができ、又はそれらを含むことができる。
【００４２】
ＱＲコード（登録商標）からネットワーク接続パラメータを引き出すことにより、スマートフォンは、スマートフォンとＩＥＤとの間の直接的なネットワーク接続を自動的に形成することができる。ネットワーク接続パラメータは、これらに限定するものではないが、通信ネットワークが無線であるか有線であるかに応じて、ネットワーク識別、インターネット・プロトコル・アドレス、サービスセット識別及び／又はネットワーク接続速度とすることができるか、又はそれらを含むことができる。
【００４３】
ネットワーク接続パラメータは動的に変更することができるので、ＱＲコード（登録商標）は、ＨＭＩ表示画面にＱＲコード（登録商標）を提供するようＩＥＤを操作する前、又はそれと同時に、ＩＥＤのリアルタイムネットワーク接続パラメータを含むよう構成することができる。
【００４４】
スマートフォンがネットワーク接続パラメータを引き出すと、スマートフォンとＩＥＤとの間の通信をデジタル通信リンクを介して可能にするために、ネットワーク接続パラメータを適用して変電所部品との直接ネットワーク接続を形成することができる。すなわち、スマートフォンによるＩＥＤの自動発見が可能となる。これにより、変電所要員は、通信ネットワークを介してＩＥＤと直接通信し対話することができる。
【００４５】
所与のＩＥＤとの直接ネットワーク接続を自動的に形成するスマートフォンの機能は、利用者の作業生産性を改善し、利用者は、通信ネットワーク上のＩＥＤのリストから関連するＩＥＤを手動で選択し、ＩＥＤとの直接ネットワーク接続を手動で開始するのに時間を費やす必要が無くなるだろう。
【００４６】
ＱＲコード（登録商標）から設定パラメータを引き出すことにより、スマートフォンは、ＩＥＤの現在構成に対応する情報を取得することができる。各設定パラメータは、これに限定するものではないが、制御設定パラメータ、例えば、ソフトウェア制御設定パラメータとすることができる。
【００４７】
設定パラメータは動的に変更することができるので、ＱＲコード（登録商標）は、ＨＭＩ表示画面にＱＲコード（登録商標）を提供するようＩＥＤを操作する前、又はそれと同時に、ＩＥＤのリアルタイム設定パラメータを含むよう構成することができる。
【００４８】
スマートフォンが設定パラメータを引き出すと、変電所要員はＩＥＤと対話する場合に引き出した設定パラメータを使用することができる。
【００４９】
１以上の設定パラメータを引き出すスマートフォンの機能は、例えば、関連する制御ソフトウェアのナビゲーションにより、変電所要員がパラメータを手動で取得するのではなく、ＩＥＤの現在構成に対応する情報を取得する時間効率的で信頼できる手段を提供する。
【００５０】
ＱＲコード（登録商標）から検証パラメータを引き出すことにより、スマートフォンは、ＩＥＤの１以上の動作パラメータを自動的に検証することができる。これは、スマートフォンにインストールされているアプリケーションが、読み込まれた検証パラメータを所定の検証パラメータと比較することができるように、対応する所定の検証パラメータをスマートフォンに格納することによって実行される。読み取られた検証パラメータが所定の検証パラメータと一致する場合、スマートフォンは、ＩＥＤの動作パラメータが有効であることを変電所要員に通知する。読み取られた検証パラメータが所定の検証パラメータと異なる場合、スマートフォンは、変電所要員にエラーメッセージを表示する。
【００５１】
これにより、変電所要員が、ＩＥＤの制御ソフトウェアを介してナビゲートして検証を実行するか、又は検証パラメータを手動で抽出し、別個のソフトウェアツールを動作させて、検証パラメータを１以上の所定の検証パラメータと比較する必要が無くなる。
【００５２】
各検証パラメータは、数学的アルゴリズム、チェックサム、ハードウェアバージョン識別子、又はソフトウェアバージョン識別子とすることができるか、又はそれらを含むことができ、ＩＥＤの他の動作パラメータの一部又は全部に対応する略式又は一意の参照識別子を含むことができる。チェックサムを検証パラメータとして使用することにより、変電所要員は、ＩＥＤの構成が変更されていないことを迅速に検証することができ、一方、ハードウェアバージョン識別子を使用することにより、変電所要員は、ＩＥＤのハードウェアが、最新であることを迅速に検証することができ、ソフトウェアバージョン識別子を使用することにより、変電所要員は、ＩＥＤの制御ソフトウェアが最新であることを迅速に検証することができる。これにより、変電所要員は、ＩＥＤの何らかの改ざん又は何らかの不要な変更を迅速に識別することができる。
【００５３】
したがって、ＱＲコード（登録商標）から動作パラメータを引き出すために上述したスマートフォンの構成は、ＩＥＤから動作パラメータを手動で引き出すだけでなく、ＩＥＤと対話するために必要な様々な動作を実行するための変電所要員の時間と労力とを節約する。これは、ユーザが多数のＩＥＤを処理しなければならない場合に特に有益であり、それらの全てが同じ変電所に配置される。
【００５４】
ＱＲコード（登録商標）は、ＩＥＤに添付された物理的ラベルの形態で、動的バーコードの代わりに静的バーコードとして提示することができる。そのようなバーコードの静的性質は、リアルタイム動作パラメータなどの特定の情報をバーコードに格納することができない可能性があることを意味する。
【００５５】
ＱＲコード（登録商標）は、人間が判読可能なフォーマットではない他の任意の種類の機械可読コードに置き換えることができる。例えば、ＱＲコード（登録商標）は、線形バーコード又は他の種類のマトリクスバーコードで置き換えることができる。
【００５６】
ＱＲコード（登録商標）は、製造元のウェブサイトにリンクされるウェブサイトアドレス、又はＩＥＤに関連する文書を含むウェブページなどの追加情報を含むように構成することができる。
【００５７】
この実施形態では、電子モジュールは、内蔵カメラを備えたスマートフォンであるが、電子モジュールは、機械可読コードから１以上の動作パラメータを視覚的に読み取ることができる任意の電子モジュールであってもよいことが理解されよう。例えば、電子モジュールは、内蔵カメラを有するか、又は外部カメラに接続される、パーソナルコンピュータ、ラップトップ、又はタブレットとすることができる。
【００５８】
本実施形態は、ＩＥＤの形態の変電所部品を参照して説明されているが、本発明は、他の種類の変電所部品についても変更すべきところは変更して適用されることが理解されよう。
【図１】
2018504880.tif 000003
【図２】
2018504880.tif 000004
【国際調査報告】
2018504880.tif 000005
2018504880.tif 000006